Podtech/llm-jp-corpus-v4-ja_patent huggingface dataset:
【手続補正書】
【提出日】平成17年9月9日(2005.9.9)
【手続補正１】
【補正対象書類名】明細書
【補正対象項目名】特許請求の範囲
【補正方法】変更
【補正の内容】
【特許請求の範囲】
【請求項１】  ＣＤ１制限Ｔ細胞応答を誘導するための薬学的組成物であって、ＣＤ１タンパク質を結合する１つ以上の分枝しているかまたは分枝していないアシル鎖およびＴ細胞によって認識される親水性部分を含む合成抗原を含む、薬学的組成物。
【請求項２】  前記１つ以上のアシル鎖が、約Ｃ12からＣ100を超える長さを有する、請求項１に記載の薬学的組成物。
【請求項３】  前記１つ以上のアシル鎖が、Ｃ30からＣ90の長さを有する、請求項２に記載の薬学的組成物。
【請求項４】  前記１つ以上のアシル鎖がリン酸基と共有結合される、請求項３に記載の薬学的組成物。
【請求項５】  前記親水性部分が炭水化物である、請求項１に記載の薬学的組成物。
【請求項６】  組成物が非経口投与のために処方される、請求項１に記載の薬学的組成物。
【請求項７】  組成物が粘膜投与のために処方される、請求項１に記載の薬学的組成物。
【請求項８】  請求項１に記載の薬学的組成物であって、前記Ｔ細胞応答が誘導される前記親水性部分が、ウイルス、細菌、真菌、寄生虫または腫瘍抗原から選択される、薬学的組成物。
【請求項９】  請求項１に記載の薬学的組成物であって、１つ以上の以下の成分をさらに含む、薬学的組成物：
ａ）アジュバント；
ｂ）ペプチド；または
ｃ）付加抗原。
【請求項１０】  哺乳動物における疾患を処置するための薬学的組成物であって、疾患に関連する組成物の親水性成分に対するＣＤ１制限免疫応答を誘導する合成組成物を含み、該親水性成分は１つ以上の飽和または不飽和アシル鎖を含む疎水性成分と結合する、薬学的組成物。
【請求項１１】  前記親水性成分が、ウイルス、細菌、真菌、寄生虫または腫瘍抗原から選択される、請求項１０に記載の薬学的組成物。
【請求項１２】  前記疾患が細菌により生じる、請求項１１に記載の薬学的組成物。
【請求項１３】  前記親水性成分が自己免疫抗原である、請求項１０に記載の薬学的組成物。
【請求項１４】  前記組成物が非経口または粘膜投与のために処方される、請求項１０に記載の薬学的組成物。
【請求項１５】  前記１つ以上のアシル鎖が約Ｃ12からＣ100を超える長さを有する、請求項１０に記載の薬学的組成物。
【請求項１６】  前記１つ以上のアシル鎖がリン酸基に共有結合される、請求項１５に記載の薬学的組成物。
【請求項１７】  前記親水性成分が炭水化物である、請求項１０に記載の薬学的組成物。
【請求項１８】  請求項１０に記載の薬学的組成物であって、１つ以上の以下の前記成分をさらに含む、薬学的組成物：
ａ）アジュバント；
ｂ）ペプチド；または
ｃ）付加抗原。
【請求項１９】  哺乳動物にＣＤ１制限Ｔ細胞応答を誘導するための薬学的組成物であって、ＣＤ１タンパク質と結合する疎水性部分およびＣＤ１制限Ｔ細胞により認識される抗原を含む親水性部分を含む免疫調節組成物を含む、薬学的組成物。
【請求項２０】  請求項１９に記載の薬学的組成物であって、１つ以上の以下をさらに含む、薬学的組成物：
ａ）アジュバント；
ｂ）ペプチド；または
ｃ）付加抗原。
【請求項２１】  ＣＤ１制限Ｔ細胞応答を誘導するための薬学的組成物であって、ＣＤ１タンパク質と結合する１つのアシル鎖およびＴ細胞により認識される親水性部分を含む合成抗原を含む、薬学的組成物。
【請求項２２】  前記アシル鎖がリン酸基と共有結合される、請求項２１に記載の薬学的組成物。
【請求項２３】  前記アシル鎖のβ炭素およびγ炭素が飽和している、請求項２２に記載の薬学的組成物。
【請求項２４】  前記アシル鎖の前記β炭素および前記γ炭素が飽和していない、請求項２２に記載の薬学的組成物。
【請求項２５】  前記アシル鎖が約Ｃ12からＣ100を超える長さを有する、請求項２１に記載の薬学的組成物。
【請求項２６】  前記親水性部分が炭水化物である、請求項２１に記載の薬学的組成物。
【請求項２７】  組成物が非経口投与のために処方される、請求項２１に記載の薬学的組成物。
【請求項２８】  組成物が粘膜投与のために処方される、請求項２１に記載の薬学的組成物。
【請求項２９】  請求項２１に記載の薬学的組成物であって、前記Ｔ細胞応答が誘導される前記親水性部分が、ウイルス、細菌、真菌、寄生虫、腫瘍または自己抗原から選択される、薬学的組成物。
【請求項３０】  請求項２１に記載の薬学的組成物であって、１つ以上の以下の成分をさらに含む、薬学的組成物：
ａ）アジュバント
ｂ）ペプチド；または
ｃ）付加抗原。
【請求項３１】  ＣＤ１制限Ｔ細胞応答を調節するための薬学的組成物であって、Ｔ細胞により認識される遊離のミコレート（ｍｙｃｏｌａｔｅ）を含む１つの分枝アシル鎖を含む合成抗原を含む、薬学的組成物。
【手続補正書】
【提出日】平成17年6月14日(2005.6.14)
【手続補正１】
【補正対象書類名】明細書
【補正対象項目名】特許請求の範囲
【補正方法】変更
【補正の内容】
【特許請求の範囲】
【請求項１】  １モルの酸に対してカルシウムが０．３ないし０．６５モルに範囲で存在することならびに組成物の有効ｐＨが３．５ないし４．５となるように組成物中のカルシウムおよび酸性物質の割合が選択されることを特徴とする、カルシウム化合物および酸性物質を含有する経口用固形または半固形組成物。
【請求項２】  １モルの酸に対してカルシウムが０．３〜０．６モルの範囲で存在する請求項１記載の組成物。
【請求項３】  １モルの酸に対してカルシウムが０．３〜０．５５モルの範囲で存在する請求項１記載の組成物。
【請求項４】  １モルの酸に対してカルシウムが少なくとも０．４モルの量で存在する請求項１ないし３のいずれか１項に記載の組成物。
【請求項５】  組成物の有効ｐＨが４を超えない請求項１ないし４のいずれかに記載の組成物。
【請求項６】  組成物の有効ｐＨが３．７ないし３．９である請求項１ないし４のいずれかに記載の組成物。
【請求項７】  酸がクエン酸、リンゴ酸もしくは乳酸またはそれらの混合物である請求項１ないし６のいずれ１項に記載の組成物。
【請求項８】  カルシウム化合物が炭酸カルシウム、水酸化カルシウム、クエン酸カルシウム、リンゴ酸カルシウム、乳酸カルシウム、塩化カルシウム、グリセロリン酸カルシウムまたはギ酸カルシウムである請求項１ないし７のいずれ１項に記載の組成物。
【請求項９】  砂糖菓子である請求項１ないし８のいずれかに記載の組成物。
【請求項１０】  菓子が香錠である請求項９記載の組成物。
【請求項１１】  乾燥粉末混合物である請求項１ないし８のいすれか１項に記載の組成物。
【請求項１２】  粉末飲料製品である請求項１１記載の組成物。
【請求項１３】  経口ヘルスケア組成物である請求項１ないし１２のいずれか１項に記載の組成物。
【請求項１４】  カルシウム化合物および酸性物質を含む経口投与用固形または半固形組成物における歯の侵食抑制剤としてのカルシウムの使用であって、１モルの酸に対してカルシウムが０．３ないし０．８モルの範囲で存在することならびに組成物の有効ｐＨが３．５ないし４．５となるように組成物中のカルシウムおよび酸性物質の量が選択されることを特徴とする使用。
【請求項１５】  １モルの酸に対してカルシウムが０．３〜０．７５モルの範囲で存在する請求項１４記載の使用。
【請求項１６】  １モルの酸に対してカルシウムが０．３〜０．６５モルの範囲で存在する請求項１４記載の使用。
【請求項１７】  １モルの酸に対してカルシウムが０．３〜０．６モルの範囲で存在する請求項１４記載の使用。
【請求項１８】  １モルの酸に対してカルシウムが０．３〜０．５５モルの範囲で存在する請求項１４記載の使用。
【請求項１９】  １モルの酸に対してカルシウムが少なくとも０．４モルの量で存在する請求項１４ないし１８のいずれか１項に記載の使用。
【請求項２０】  組成物の有効ｐＨが４を超えない請求項１４ないし１９のいずれかに記載の使用。
【請求項２１】  組成物の有効ｐＨが３．７ないし３．９である請求項１４ないし２０のいずれかに記載の使用。
【請求項２２】  １モルの酸に対してカルシウムが０．３ないし０．８モルの範囲で存在し、組成物の有効ｐＨが３．５ないし４．５であることを特徴とするカルシウム化合物および酸性物質を含む固体または半固体組成物の製造方法であって、１モルの酸に対してカルシウムが０．３ないし０．８モルの範囲で存在するようにカルシウム化合物と酸性物質を混合し、必要または所望ならば、有効ｐＨが３．５ないし４．５の範囲となるようにアルカリを添加することによりｐＨを調節することを含む製造方法。
【請求項２３】  １モルの酸に対してカルシウムが０．３ないし０．８モルの範囲で存在し、有効ｐＨが３．５ないし４．５となるようにカルシウムを酸性経口投与用組成物に添加し、必要または所望ならばアルカリの添加により有効ｐＨを３．５ないし４．５の範囲とすることを含む、固形または半固形酸性経口投与用組成物の歯侵食能を低下させる方法。
【請求項２４】  カルシウム化合物および酸性物質を含む固形または半固形組成物を経口投与することを含み、１モルの酸に対してカルシウムが０．３ないし０．８モルの範囲で存在することならびに組成物の有効ｐＨが３．５ないし４．５となるように組成物中のカルシウムおよび酸性物質の量が選択されることを特徴とする、経口投与用組成物中の酸により引き起こされる歯の侵食を抑制する方法。
【請求項２５】  酸により引き起こされる歯の侵食を抑制するために経口投与される組成物の製造における、カルシウム化合物および酸性物質を含有する固形または半固形組成物の使用であって、１モルの酸に対してカルシウムが０．３ないし０．８モルの範囲で存在することならびに組成物の有効ｐＨが３．５ないし４．５となるように組成物中のカルシウムおよび酸性物質の量が選択されることを特徴とする使用。
【手続補正書】
【提出日】平成17年6月16日(2005.6.16)
【手続補正１】
【補正対象書類名】明細書
【補正対象項目名】特許請求の範囲
【補正方法】変更
【補正の内容】
【特許請求の範囲】
【請求項１】  一般式
（Ｒ3 −Ｃ）2 Ｐ−Ｌ1 −Ｘ−Ｌ2 −Ｐ−（Ｃ−Ｒ3)2 
の化合物（Ｉ）の製造方法であり、
ここで各Ｒは独立して、置換されていてもよい、ペンダント有機基であり、３級炭素原子Ｃに連結されており；Ｌ1 ，Ｌ2 は独立して、Ｘ基に各リン原子を連結する、置換されていてもよいＣ1 〜Ｃ4 アルキレン鎖から選ばれる連結基であり、Ｘは、リン原子が利用しうる隣接炭素原子に連結される、置換されていてもよいアリール基部分を含む橋かけ基であり、次の工程を含む。
ｉ）式Ａ−Ｌ1 −Ｘ−Ｌ2 −Ａの化合物（II）（Ａはハロゲン原子）を適切な溶媒中で金属Ｍとともに反応させ、式Ａ−Ｍ−Ｌ1 −Ｘ−Ｌ2 −Ｍ−Ａの中間化合物（III ）を生成させる、
ii）該中間化合物（III ）を式（Ｒ3 −Ｃ）2 Ｐ−Ａ1 の化合物（IV）（Ａ1 はＡと同一もしくは異なっていてもよいハロゲン原子）と反応させて、該化合物（Ｉ）を生成させる。
【請求項２】  Ｍがマグネシウムである請求項１記載の方法。
【請求項３】  Ａが塩素である請求項１または２記載の方法。
【請求項４】  Ａ1 が塩素、臭素もしくはヨウ素原子である請求項１〜３のいずれかに記載の方法。
【請求項５】  各Ｒ基が置換されていてもよいＣ1 〜Ｃ8 アルキルであり、各Ｒはそれぞれ他のＲ基と同一もしくは異なっていてもよい請求項１〜４のいずれかに記載の方法。
【請求項６】  化合物（Ｉ）がビス（ジ−ｔ−ブチルホスフィノ）−ｏ−キシレン、ビス（ジ−ｔ−ネオペンチルホスフィノ）−ｏ−キシレンもしくはビス１，２（ジ−ｔ−ブチルホスフィノ）ナフタレンを含む請求項１〜５のいずれかに記載の方法。
【請求項７】  請求項１の方法により製造される化合物（Ｉ）。
【請求項８】  （ａ）請求項１の方法により製造される化合物（Ｉ）
（ｂ）VIII族金属もしくはその化合物、および（ｃ）アニオン源
を含む触媒系。
【手続補正２】
【補正対象書類名】明細書
【補正対象項目名】０００４
【補正方法】変更
【補正の内容】
【０００４】
Zvezdinaら（VINITI 3581-80, Chemical Abstracts Vol 96（1992）52409）は、ジブロモエチニルジマグネシウムのジイソプロピルクロロホスフィンとの反応によってハイドロホルミル化触媒用のリガンドを製造する、１，２−エチニジルビス〔ビス（１−メチルエチル）ホスフィン〕の製造方法を記述する。
M.F.Lappert およびT.R.Martinの論文（J.Chem.Soc., Dalton Trans., 1982  第1952頁）は、ジ−グリニャール合成ルートを経由する種々の金属環状（ｍｅｔａｌｌｏｃｙｃｌｉｃ）化合物の製造について記述する。
ここに、ＷＯ９６／１９４３４で記述される種類のホスフィンリガンドは、ＷＯ９６／１９４３４で述べられたルートよりももっと温和な材料を用いて、廃棄物がもっと少ない、高収率ルートによって製造されうることを、本発明者は見出した。
【手続補正書】
【提出日】平成17年5月18日(2005.5.18)
【手続補正１】
【補正対象書類名】明細書
【補正対象項目名】特許請求の範囲
【補正方法】変更
【補正の内容】
【特許請求の範囲】
【請求項１】  下記式Ｉ：
【化１】
2001515069.tif 000001
〔式中、Ａは、独立して、直鎖もしくは分枝鎖のＣ1-6 アルキル、直鎖もしくは分枝鎖のＣ2-6 アルケニルまたはＣ1-6 アルコキシであり；Ｙは−Ｓ−Ａであり（Ａは独立して前記定義のとおりである）；そしてＺおよびＸは、独立して、Ｈ，−（ＣＨ2)n −ＮＨ2 （ｎは０〜６の整数である）、直鎖もしくは分枝鎖のＣ1-6 アルキル、直鎖もしくは分枝鎖のＣ2-6 アルケニルまたはＣ1-6 アルコキシである〕で表される化合物。
【請求項２】  Ａがメチルであり、Ｘが−ＮＨ2 であり、そしてＺがＨである請求項１に記載の化合物。
【請求項３】  Ａがメチルであり、Ｘが−ＮＨ2 であり、そしてＺがアミノである請求項１に記載の化合物。
【請求項４】  医薬として許容可能な担体中に、請求項１に記載の化合物を含有する医薬組成物。
【請求項５】  Ａがメチルであり、Ｘが−ＮＨ2 であり、そしてＺがＨである請求項４に記載の医薬組成物。
【請求項６】  Ａがメチルであり、Ｘが−ＮＨ2 であり、そしてＺがアミノである請求項４に記載の医薬組成物。
【請求項７】  （ａ）塩化アセチルを短鎖アルコールに溶解した溶液を準備し；
（ｂ）上記溶液に、置換されたハロゲン−メチルメルカプトピリミジンおよび３，５−ジアルキルアニリンを添加して、混合物をつくり；
（ｃ）上記混合物を還流して、上記アニリン誘導体を上記ピリミジン誘導体に結合させ；次いで
（ｄ）得られた混合物を乾燥して、式Ｉで表される固体の最終生成物を得る；
工程を含んでなる、式Ｉで表される化合物の合成方法。
【請求項８】  前記置換された６−ハロゲン−メチルメルカプトピリミジンが４−アミノ−６−クロロ−２−メチルメルカプトピリミジンであり、そして前記３，５−ジアルキルアニリンが３，５−ジアセチルアニリンである請求項７に記載の方法。
【請求項９】  下記式Ｉ：
【化２】
2001515069.tif 000002
〔式中、Ａは、独立して、直鎖もしくは分枝鎖のＣ1-6 アルキル、直鎖もしくは分枝鎖のＣ2-6 アルケニル、またはＣ1-6 アルコキシであり；Ｙは−Ｓ−Ａであり（Ａは独立して上記定義のとおりである）；そしてＺおよびＸは、独立して、Ｈ，−（ＣＨ2)n −ＮＨ2 （ｎは０〜６の整数である）、直鎖もしくは分枝鎖のＣ1-6 アルキル、直鎖もしくは分枝鎖のアルケニルまたはＣ1-6 アルコキシである〕で表される化合物を含んで成るＨＩＶ感染症治療剤。
【請求項１０】  Ａがメチルであり、Ｘが−ＮＨ2 であり、そしてＺがＨである請求項９に記載の治療剤。
【請求項１１】  Ａがメチルであり、Ｘが−ＮＨ2 であり、そしてＺがアミノである請求項９に記載の治療剤。
【誤訳訂正書】
【提出日】平成17年8月12日(2005.8.12)
【誤訳訂正１】
【訂正対象書類名】明細書
【訂正対象項目名】特許請求の範囲
【訂正方法】変更
【訂正の内容】
【特許請求の範囲】
【請求項１】  式Ｉ：
【化１】
2001515063.tif 000001
〔上式中、Ｒは−Ｘ−ＣＯ−Ｚであり、ここでＺはＣ4-6 直鎖または分岐鎖アルコキシであり、そしてＸは（ＣＨ2 ）n または−Ｓ−（ＣＨ2 ）n であり、ここでｎは０〜６の整数でありそしてＹはＨまたはＣ1-6 直鎖もしくは分岐鎖アルキルである〕
を有する化合物。
【請求項２】  Ｘが（ＣＨ2 ）n であり、ｎが２であり、Ｚがメトキシであり、そしてＹがＨである、請求項１に記載の化合物。
【請求項３】  ＨＩＶ感染の治療用医薬組成物であって、式Ｉ：
【化２】
2001515063.tif 000002
〔上式中、Ｒは−Ｘ−ＣＯ−Ｚであり、ここでＺはＣ1-6 直鎖または分岐鎖アルコキシであり、そしてＸは（ＣＨ2 ）n または−Ｓ−（ＣＨ2 ）n であり、ここでｎは０〜６の整数でありそしてＹはＨまたはＣ1-6 直鎖もしくは分岐鎖アルキルである〕
【請求項４】  Ｘが（ＣＨ2 ）n であり、ｎが２であり、Ｚがメトキシであり、そしてＹがＨである、請求項３に記載の医薬組成物。
【請求項５】  ＨＩＶ感染の治療方法であって、式Ｉ：
【化３】
2001515063.tif 000003
〔上式中、Ｒは−Ｘ−ＣＯ−Ｚであり、ここでＺはＣ1-6 直鎖または分岐鎖アルコキシであり、そしてＸは（ＣＨ2 ）n または−Ｓ−（ＣＨ2 ）n であり、ここでｎは０〜６の整数でありそしてＹはＨまたはＣ1-6 直鎖もしくは分岐鎖アルキルである〕
の化合物の有効量を投与することを含んで成る方法。
【請求項６】  Ｘが（ＣＨ2 ）n であり、ｎが２であり、Ｚがメトキシであり、そしてＹがＨである、請求項５に記載の方法。
【請求項７】  ＨＩＶ感染の治療のための組合せ療法であって、式Ｉ：
【化４】
2001515063.tif 000004
〔上式中、Ｒは−Ｘ−ＣＯ−Ｚであり、ここでＺはＣ1-6 直鎖または分岐鎖アルコキシであり、そしてＸは（ＣＨ2 ）n または−Ｓ−（ＣＨ2 ）n であり、ここでｎは０〜６の整数でありそしてＹはＨまたはＣ1-6 直鎖もしくは分岐鎖アルキルである〕
の化合物と逆転写酵素阻害剤とを含んで成る組合せ療法。
【請求項８】  前記逆転写酵素阻害剤が３ＴＣ，ＡＺＴ，ｄｄＩ，ｄ４Ｔ，ｄｄＣおよびそれらの組合せから成る群より選ばれる、請求項７に記載の組合せ。
【請求項９】  Ｘが（ＣＨ2 ）n であり、ｎが２であり、Ｚがメトキシであり、そしてＹがＨである、請求項７に記載の組合せ。
【請求項１０】  ＨＩＶプロテアーゼ阻害剤を更に含んで成る、請求項７に記載の組合せ。
【請求項１１】  前記ＨＩＶプロテアーゼ阻害剤がリトナビル、ネルフィナビル、サクイナビル、インジナビルおよびそれらの組合せから成る群より選ばれる、請求項１０に記載の組合せ。
【請求項１２】  ＨＩＶ感染の治療方法であって、式Ｉ：
【化５】
2001515063.tif 000005
〔上式中、Ｒは−Ｘ−ＣＯ−Ｚであり、ここでＺはＣ1-6 直鎖または分岐鎖アルコキシであり、そしてＸは（ＣＨ2 ）n または−Ｓ−（ＣＨ2 ）n であり、ここでｎは０〜６の整数でありそしてＹはＨまたはＣ1-6 直鎖もしくは分岐鎖アルキルである〕
の化合物の有効量と、逆転写酵素阻害剤の有効量とを投与することを含んで成る方法。
【請求項１３】  前記逆転写酵素阻害剤が３ＴＣ，ＡＺＴ，ｄｄＩ，ｄ４Ｔ，ｄｄＣおよびそれらの組合せから成る群より選ばれる、請求項１２に記載の方法。
【請求項１４】  Ｘが（ＣＨ2 ）n であり、ｎが２であり、Ｚがメトキシであり、そしてＹがＨである、請求項１２に記載の方法。
【請求項１５】  ＨＩＶプロテアーゼ阻害剤の有効量を更に含んで成る、請求項１２に記載の方法。
【請求項１６】  前記ＨＩＶプロテアーゼ阻害剤がリトナビル、ネルフィナビル、サクイナビル、インジナビルおよびそれらの組合せから成る群より選ばれる、請求項１５に記載の方法。
【誤訳訂正２】
【訂正対象書類名】明細書
【訂正対象項目名】００１０
【訂正方法】変更
【訂正の内容】
【００１０】
本発明は更に、ＨＩＶ感染の治療のための組合せ治療用組成物であって、式Ｉ：
【化７】
2001515063.tif 000006
〔上式中、Ｒは−Ｘ−ＣＯ−Ｚであり、ここでＺはＣ1-6 直鎖または分岐鎖アルコキシであり、そしてＸは（ＣＨ2 ）n または−Ｓ−（ＣＨ2 ）n であり、ここでｎは０〜６の整数でありそしてＹはＨまたはＣ1-6 直鎖もしくは分岐鎖アルキルである〕
の化合物と、逆転写酵素阻害剤とを含んで成る組合せ組成物を提供する。好ましくは、逆転写酵素阻害剤が３ＴＣ，ＡＺＴ，ｄｄＩ，ｄ４Ｔ，ｄｄＣおよびそれらの組合せから成る群より選ばれる。好ましくは、式Ｉ中、Ｘが（ＣＨ2 ）n であり、ｎが２であり、Ｚがメトキシであり、そしてＹがＨである。好ましくは、該組合せ組成物はＨＩＶプロテアーゼ阻害剤を更に含んで成る。ＨＩＶプロテアーゼ阻害剤はリトナビル、ネルフィナビル、サクイナビル、インジナビルおよびそれらの組合せから成る群より選ばれる。
【手続補正書】
【提出日】平成17年7月28日(2005.7.28)
【手続補正１】
【補正対象書類名】明細書
【補正対象項目名】特許請求の範囲
【補正方法】変更
【補正の内容】
【特許請求の範囲】
【請求項１】  (a)主要量の潤滑油；
(b)油溶性リン化合物であって、(i) アルキル基中にチオエーテル結合を含むモノ‐およびジ‐アルキル亜リン酸エステルの混合物、及び(ii) リンエステル、リン系の酸またはこれらの混合物と反応させた無灰分分散剤からなる群から選ばれる油溶性リン化合物；
(c)無灰分分散剤；および
(d)構造式Ｉ：R-NH2（式中、Rは、約C8〜C30のアルキルである）を有するアミン
を含む動力伝達油組成物。
【請求項２】  アミン含有摩擦改良剤をさらに含む請求の範囲第1項記載の組成物。
【請求項３】  構造式Ｉのアミンが、デシルアミン、イソデシルアミン、ドデシルアミン、テトラデシルアミン、オクタデシルアミン、エイコシルアミン、オレイルアミン、カカオアミン、大豆アミン、牛脂アミン、水素化牛脂アミン、ステアリルアミン又はイソステアリルアミンである請求の範囲第1項記載の組成物。
【請求項４】  構造式ＩのアミンにおけるRが、約C10〜C18のアルキルである請求の範囲第1項記載の組成物。
【請求項５】  アミン含有摩擦改良剤がテトラエチレンペンタミンのジ-(-イソ-ステアリルアミド)、ジエチレントリアミンのジ-(イソ-オクタデセニルサクシンイミド)、およびN,N-ビス(2-ヒドロキシエチル)-ヘキサデシルオキシプロピルアミンからなる群から選ばれた少なくとも1種の化合物である請求の範囲第２項記載の組成物。
【請求項６】  動力伝達油が、自動変速油、作動油、重質作動油、工業油、パワーステアリング油、ポンプ油、トラクター油および万能トラクター油からなる群から選ばれる請求の範囲第1項記載の組成物。
【請求項７】  潤滑油が、合成油、または合成油と天然鉱油との混合物である請求の範囲第1項記載の組成物。
【請求項８】  粘度指数改良剤、腐蝕抑制剤、分散剤、発泡防止剤、清浄剤、耐磨耗剤、流動点降下剤、およびシール膨潤剤からなる群から選ばれた追加の添加剤をさらに含む請求の範囲第1項記載の組成物。
【請求項９】  潤滑油が、100℃で約1 mm2/s〜約100 mm2/sの動粘度を有する請求の範囲第1項記載の組成物。
【手続補正書】
【提出日】平成17年8月26日(2005.8.26)
【手続補正１】
【補正対象書類名】明細書
【補正対象項目名】特許請求の範囲
【補正方法】変更
【補正の内容】
【特許請求の範囲】
【請求項１】  混合ガスおよび粒子流を分離しかつストリッピングする装置であって、混合ガスから粒子を分離する容器(50)および分離容器(50)の下方に配置されて分離された粒子をストリッピングする容器を内部に有する反応外殻(envelope)(51)を備えており、前記容器は、長い形状を有する中央反応器(1)の一端の周囲に軸方向に配分されかつ混合ガスと粒子流とが内部を流通する前記反応器の周囲に交互に配置される複数の分離室(2)および複数の流通室(3)を有し、各分離室(2)は、ほぼ垂直な面において混合ガスから粒子を分離するために、その上部に、反応器に通じているとともに、上昇流型反応器（ライザー)の場合には分離室の外側壁により一部が画定され、下降流型反応器（ドロッパー）の場合には同反応器の底部のデフレクタ(21)により一部が画定される回転(rollover)帯域に通じている入口開口部(20)を有しており、各分離室(2)は、流通室(3)の壁でもある２つのほぼ垂直な側壁(24)を有し、各分離室(2)の垂直な壁(24)のうち少なくとも１つは、ライザーの場合には入口開口部の下方に位置し、ドロッパーの場合には同開口部(20)の上方に位置する第１の側方出口開口部(5)を有していて、混合ガスが隣接する流通室に通じるのを可能にしており、各分離室は、混合ガスの第１出口開口部(5)の下方に位置するほぼ軸方向の粒子出口開口部(6)(6a)を側壁とともに画定する外壁(21)(121)および内壁を有し、粒子出口開口部(6)(6a)は、分離室の下方において少なくとも１つの主要ストリッピング手段(11)を含んでいるストリッピング室(8)(30)に通じており、外殻(51)は、流出室から出るガス流出物と一部分の粒子との混合物を排出させる少なくとも１つの導管(14)と、前記排出導管(14)に接続されてガス流出物から粒子を分離し、ガス流出物出口(19)および粒子出口(17)を有する少なくとも１つの第２分離器(16)とを備え、前記ストリッピング室は、少なくとも流通室(3)を介して前記混合物排出導管(14)に通じている、装置。
【請求項２】  反応器が上昇流型（ライザー）であり、各分離室が、その上部に、反応器および遠心力の作用により混合ガスから粒子を分離する回転帯域(21)に通じる入口開口部を有しており、回転帯域は、混合ガスおよび粒子が垂直面内において最大３６０度の角度で回転するのに適合されており、各分離室(2)は、流通室(3)の壁でもある２つのほぼ垂直な側壁(24)を有し、各分離室(2)の垂直な側壁(24)のうち少なくとも１つは、入口開口部(20)の下方に第１の側方出口開口部(5)を有していて、混合ガスが隣接する流通室に流通するのを可能にしており、各分離室は、回転帯域を画定する外壁(21,22)と、外壁と向かい合う内壁とを備え、これらの壁は、第１の混合ガス出口開口部(5)の下方に位置するほぼ軸方向の第２の粒子出口開口部(6)(6a)を側壁とともに画定しており、第２の粒子出口開口部(6)(6a)は、分離室の下方においてストリッピング室(8)(30)に通じている、請求項１に記載の装置。
【請求項３】  各分離室(2)が、入口開口部の下方に、反応器に接続された、混合ガスの再流通を防止する手段(4)を備えている、請求項２に記載の装置。
【請求項４】  混合ガスの再流通を防止する手段の少なくとも上部が、その垂直面において、壁(24)の側方開口部(5)の形状に沿っている、請求項３に記載の装置。
【請求項５】  反応器の少なくとも出口部が下降流型（ドロッパー）であり、反応器がその下端部にガスおよび粒子のデフレクタ(21)を備えていて、このデフレクタにより、反応器から分離室への流れを側方に偏向するとともに、遠心力の作用によりガスから粒子を分離するために垂直面内において流れの回転を起こさせるようになっており、各分離室は、その上部に、反応器に通じかつ前記デフレクタ(21)および反応器によって画定される入口開口部(20)と、上部が偏向板(21)とともにガスおよび粒子の回転帯域を形成している外壁(121)と、偏向板のほぼ延長線上に位置しかつガスから分離された粒子が分離室の下部に通じるのを可能にしている第１の出口開口部(122)とを有し、各分離室(2)は、さらに、流通室(3)の壁でもある２つのほぼ垂直な側壁(24)を有し、各分離室(2)の垂直な側壁(24)のうち少なくとも１つは、大部分の粒子が除去されたガスが流通室に流れるのを可能にするために、デフレクタ(21)および第１の開口部(122)の上方に位置する第２の側方出口開口部(5)を有している、請求項１に記載の装置。
【請求項６】  各分離室(2)が、入口開口部の上方に、反応器に接続された、混合ガスの再流通を防止する手段(4)を備えている、請求項５に記載の装置。
【請求項７】  混合ガスの再流通を防止する手段の少なくとも下部が、その垂直面内において、壁(24)の側方開口部(5)の形状に沿っている、請求項６に記載の装置。
【請求項８】  外壁(22)が、容器の外殻(51)とは別個のものであって、前記外殻とともに環状空間を画定している、請求項１〜７のいずれか１つに記載の装置。
【請求項９】  第２分離器が外殻(51)の外にある、請求項１〜８のいずれか１つに記載の装置。
【請求項１０】  第２分離器が外殻(51)の内部にある、請求項１〜９のいずれか１つに記載の装置。
【請求項１１】  分離室(2)および流通室(3)の下部に、上方に開口した円錐台形の部分(18a,18b)を有している、請求項１〜９のいずれか１つに記載の装置。
【請求項１２】  分離室(2)および流通室(3)の外壁が垂直であり、分離室(2)および流通室(3)の下部に流れ制御手段を有している、請求項１〜９のいずれか１つに記載の装置。
【請求項１３】  流通室が、ストリッピング容器の内部にある流動床の表面の上方１〜１０ｍ、好ましくは２〜５ｍの高さに下方開口部(6b)を有している、請求項１〜１２のいずれか１つに記載の装置。
【請求項１４】  分離室からの開口部が、ストリッピング室の内部にある流動床中に浸されている、請求項１〜３のいずれか１つに記載の装置。
【手続補正書】
【提出日】平成17年8月15日(2005.8.15)
【手続補正１】
【補正対象書類名】明細書
【補正対象項目名】特許請求の範囲
【補正方法】変更
【補正の内容】
【特許請求の範囲】
【請求項１】  免疫応答を非侵入的に誘発するための組成物であって、関心のあるトランスジーンをコードする遺伝子ベクターを含有し、免疫学的効果量の該遺伝子ベクターを皮膚に局所施用することにより治療を必要とする動物の皮膚に該ベクターを接触させることを特徴とする組成物。
【請求項２】  抗腫瘍免疫応答を非侵入的に誘発するための組成物であって、投与後に動物において抗腫瘍効果を誘発する抗原またはその断片をコードするトランスジーンを含むベクターを含有し、免疫学的に効果的な濃度の該ベクターを皮膚に局所施用することにより動物の皮膚に該ベクターを接触させることを特徴とする組成物。
【請求項３】  前記遺伝子ベクターが、トランスジーンを発現できる遺伝子ベクターを含むことを特徴とする請求項１または２記載の組成物。
【請求項４】  前記遺伝子ベクターが、ウイルスベクターおよびプラスミドDNAからなる群より選択されることを特徴とする請求項３記載の組成物。
【請求項５】  前記遺伝子ベクターが、アデノウイルスであることを特徴とする請求項３記載の組成物。
【請求項６】  前記トランスジーンが、抗原またはその断片をコードすることを特徴とする請求項１記載の組成物。
【請求項７】  前記抗原またはその断片が、病原または新生物に対する免疫応答をもたらすことができることを特徴とする請求項６記載の組成物。
【請求項８】  前記抗原が、ヒト癌胎児性抗原、HIV gp120抗原、破傷風毒素C断片およびインフルエンザNPとHA抗原から実質的になる群より選択されることを特徴とする請求項６記載の組成物。
【請求項９】  前記トランスジーンが、抗原またはその断片をコードすることを特徴とする請求項２記載の組成物。
【請求項１０】  前記抗原またはその断片が、新生物に対する免疫応答をもたらすことができることを特徴とする請求項９記載の組成物。
【請求項１１】  前記抗原をコードする前記トランスジーンが、オンコジーン、腫瘍サプレッサ遺伝子、および腫瘍関連遺伝子を含むことを特徴とする請求項９記載の組成物。
【請求項１２】  前記遺伝子ベクターの免疫学的効果量が、アデノウイルスベクターについて少なくとも約１００プラーク形成単位(pfu)およびプラスミドについて少なくとも１ngのDNAであることを特徴とする請求項１または２記載の組成物。
【請求項１３】  前記ベクターが、免疫修飾遺伝子をコードすることを特徴とする請求項３記載の組成物。
【請求項１４】  前記ベクターがさらに、共刺激性遺伝子およびサイトカイン遺伝子をコードすることを特徴とする請求項１３記載の組成物。
【請求項１５】  前記免疫修飾遺伝子が、GM-CSF遺伝子、B7-1遺伝子、B7-2遺伝子、インターロイキン-2遺伝子、インターロイキン-12遺伝子およびインターフェロン遺伝子からなる群より選択されることを特徴とする請求項１３記載の組成物。
【請求項１６】  前記アデノウイルスベクターが、E1領域で欠損していることを特徴とする請求項５記載の組成物。
【請求項１７】  前記アデノウイルスベクターが、E4領域で欠損していることを特徴とする請求項５記載の組成物。
【請求項１８】  前記アデノウイルスベクターが、E3領域で欠損していることを特徴とする請求項５記載の組成物。
【請求項１９】  前記ベクターが、全てのウイルス遺伝子を欠失していることを特徴とする請求項５記載の組成物。
【請求項２０】  前記ベクターが、DNA/ウイルス複合体を含むことを特徴とする請求項４記載の組成物。
【請求項２１】  前記DNAがプラスミド形態であることを特徴とする請求項２０記載の組成物。
【請求項２２】  前記ベクターが、DNA/リポソーム複合体を含むことを特徴とする請求項４記載の組成物。
【請求項２３】  前記ベクターが、抗原またはその断片をコードする組換えアデノウイルスを含むことを特徴とする請求項４記載の組成物。
【請求項２４】  前記免疫応答が、感染性の病原または新生物に対する防御効果をもたらすことを特徴とする請求項１記載の組成物。
【請求項２５】  前記免疫応答が、抗腫瘍効果をもたらすことを特徴とする請求項２記載の組成物。
【請求項２６】  関心のある遺伝子を含有する遺伝子ベクターをデバイス上に配置し、内部に関心のある遺伝子を含有する遺伝子ベクターを有する該デバイスを動物の皮膚に施用することを特徴とする請求項１または２記載の組成物。
【請求項２７】  前記デバイスが、パッドを含むことを特徴とする請求項２６記載の組成物。
【請求項２８】  前記デバイスが、接着ガーゼ包帯様デバイスを含むことを特徴とする請求項２６記載の組成物。
【請求項２９】  DNA/ウイルス複合体を調製する方法であって、
適切なウイルスベクターを提供し、
前記ウイルスベクターと複合させるDNAサンプルを提供し、
ポリ−L−リシンの存在下で該ウイルスベクターと該DNAサンプルとを混合する、
各工程を含むことを特徴とする方法。
【請求項３０】  前記ウイルスベクターが、アデノウイルスであることを特徴とする請求項２９記載の方法。
【請求項３１】  前記DNAサンプルが、関心のある遺伝子を含むことを特徴とする請求項２９記載の方法。
【請求項３２】  前記遺伝子が、抗原またはその断片をコードすることを特徴とする請求項３１記載の方法。
【請求項３３】  前記ポリ−L−リシン(PLL)対前記DNAサンプルの割合が、約０．９μg PLL：１．０μg DNAから約９．０μg PLL：１μg DNAまでの範囲であることを特徴とする請求項２９記載の方法。
【請求項３４】  前記ポリ−L−リシン(PLL)対前記アデノウイルスベクターの割合が、約６．０μg PLL：１０８pfuアデノウイルスから約６．０μg PLL：１０１０pfuアデノウイルスまでの範囲であることを特徴とする請求項２９記載の方法。
【請求項３５】  遺伝子ベクターを動物の皮膚の表面に供給するためのデバイスであって、
動物の皮膚の表面への接触に適合させた第１の側面と第２の側面とを有する第１の材料シート、および前記第１のシートの第１の側面と反対側に配置された第１の側面を有する第２の材料シートを有してなる皮膚接触手段を含み、
前記第１のシートと前記第２のシートが外縁で互いに結合して、それらの間に遺伝子ベクターを含有するための中央包囲空間を定め、
前記第１のシートを構成する材料が、前記第２のシートを構成する材料より構造上弱く、それによって、遺伝子ベクターが前記空間内に配置されさらに前記第２のシートの第１の側面に力が加えられると、前記第２のシートより前に前記第１のシートが破壊されて、前記遺伝子ベクターを前記動物の皮膚に接触させることを特徴とするデバイス。
【請求項３６】  前記デバイスを前記動物の皮膚の表面に接着させるために前記第１のシートの第１の側面が外辺に配置された接着剤を含み、前記空間上に重なる前記第１のシートの一部が実質的に接着剤を有しないことを特徴とする請求項３５記載のデバイス。
【請求項３７】  前記シートが、遺伝子ベクターに非浸透性の材料からなることを特徴とする請求項３５記載のデバイス。
【請求項３８】  前記シートが、高分子材料からなることを特徴とする請求項３５記載のデバイス。
【手続補正書】
【提出日】平成17年7月12日(2005.7.12)
【手続補正１】
【補正対象書類名】明細書
【補正対象項目名】特許請求の範囲
【補正方法】変更
【補正の内容】
【特許請求の範囲】
【請求項１】  次の式：
【化１】
2001515041.tif 000001
（式中、Ｒは水素またはＣ1−Ｃ6アルキルである）
で示されるピペリジノアルカノール抗ヒスタミン薬またはその医薬的に許容できる塩もしくは個々の光学異性体の有効な抗ヒスタミン作用量およびｐ−糖蛋白抑制物質の有効なｐ−糖蛋白抑制作用量からなる医薬組成物。
【請求項２】  抗ヒスタミン薬がフェキソフェナジンまたはその医薬的に許容できる塩である請求項１に記載の組成物。
【請求項３】  ｐ−糖蛋白抑制物質が水溶性ビタミンＥおよびポリエチレングリコールから成る群から選ばれる請求項２に記載の組成物。
【請求項４】  ｐ−糖蛋白抑制物質が水溶性ビタミンＥであるか、またはＰＥＧ４００、ＰＥＧ１０００、ＰＥＧ１４５０、ＰＥＧ４６００およびＰＥＧ８０００から成る群から選ばれる請求項３に記載の組成物。
【請求項５】  ｐ−糖蛋白抑制物質が水溶性ビタミンＥである請求項４に記載の組成物。
【請求項６】  ｐ−糖蛋白抑制物質がＰＥＧ１０００である請求項４に記載の組成物。
【請求項７】  次の式：
【化２】
2001515041.tif 000002
（式中、Ｒは水素またはＣ1−Ｃ6アルキルである）
で示されるピペリジノアルカノール抗ヒスタミン薬またはその医薬的に許容できる塩もしくは個々の光学異性体のバイオアベイラビリティーを強化する医薬の製造における組成物の使用であって、この組成物が、上記ピペリジノアルカノール抗ヒスタミン薬の有効な抗ヒスタミン作用量およびｐ−糖蛋白抑制物質の有効なｐ−糖蛋白抑制作用量を含む上記医薬の製造における組成物の使用。
【請求項８】  抗ヒスタミン薬がフェキソフェナジンまたはその医薬的に許容できる塩である請求項７に記載の使用。
【請求項９】  ｐ−糖蛋白抑制物質が水溶性ビタミンＥおよびポリエチレングリコールから成る群から選ばれる請求項８に記載の使用。
【請求項１０】  ｐ−糖蛋白抑制物質が水溶性ビタミンＥであるか、またはＰＥＧ４００、ＰＥＧ１０００、ＰＥＧ１４５０、ＰＥＧ４６００およびＰＥＧ８０００から成る群から選ばれる請求項９に記載の使用。
【請求項１１】  ｐ−糖蛋白抑制物質が水溶性ビタミンＥである請求項１０に記載の使用。
【請求項１２】  ｐ−糖蛋白抑制物質がＰＥＧ１０００である請求項１０に記載の使用。
【請求項１３】  次の式：
【化３】
2001515041.tif 000003
（式中、Ｒは水素またはＣ1−Ｃ6アルキルである）
で示されるピペリジノアルカノール抗ヒスタミン薬またはその医薬的に許容できる塩もしくは個々の光学異性体の有効な抗ヒスタミン作用量およびｐ−糖蛋白抑制物質の有効なｐ−糖蛋白抑制作用量からなる、患者のアレルギー性反応を治療する医薬の製造における組成物の使用。
【請求項１４】  抗ヒスタミン薬がフェキソフェナジンまたはその医薬的に許容できる塩である請求項１３に記載の使用。
【請求項１５】  ｐ−糖蛋白抑制物質が水溶性ビタミンＥおよびポリエチレングリコールから成る群から選ばれる請求項１４に記載の使用。
【請求項１６】  ｐ−糖蛋白抑制物質が水溶性ビタミンＥであるか、またはＰＥＧ４
００、ＰＥＧ１０００、ＰＥＧ１４５０、ＰＥＧ４６００およびＰＥＧ８０００から成る群から選ばれる請求項１５に記載の使用。
【請求項１７】  ｐ−糖蛋白抑制物質が水溶性ビタミンＥである請求項１６に記載の使用。
【請求項１８】  ｐ−糖蛋白抑制物質がＰＥＧ１０００である請求項１６に記載の使用。
【手続補正２】
【補正対象書類名】明細書
【補正対象項目名】００４３
【補正方法】変更
【補正の内容】
【００４３】
実施例１
フェキソフェナジンのイヌにおけるバイオアベイラビリティーに対するＰＥＧ４００の効果
フェキソフェナジンのバイオアベイラビリティーに対するポリエチレングリコール４００（ＰＥＧ４００）の効果を絶食させた雄のビーグル犬で調べた。処置Ａは１２０mgのフェキソフェナジン塩酸塩持続放出（ＳＲ）錠剤１錠の経口投与から成り、処置ＢはＳＲ錠剤１錠と合わせて０.５mLのＰＥＧ４００を含むカプセルをＳＲ錠投与前後の−１、０、２、４、６および８時間に経口投与することから成る。処置Ａは処置Ｂの１０日または１７日前に実施した。フェキソフェナジンの血漿濃度を分析し、ＰＥＧ４００の同時処置がある場合およびない場合のフェキソフェナジンの相対的バイオアベイラビリティーを求めた。
血漿濃度の平均２倍の増加（表Ｉ）がＰＥＧ４００をフェキソフェナジンと同時投与したときに生じた。
【手続補正３】
【補正対象書類名】明細書
【補正対象項目名】００４５
【補正方法】変更
【補正の内容】
【００４５】
実施例２
イヌにおけるフェキソフェナジンのバイオアベイラビリティーに対する水溶性ビタミンＥの効果
水溶性ビタミンＥ（ｄ−α−トコフェニルポリエチレングリコールスクシネート）のフェキソフェナジンのバイオアベイラビリティーに対する効果を２匹の絶食させた雄のビーグル犬を用い２方向クロスオーバー実験デザインで決定した。処置Ａは、１mg／kg用量で14Ｃ−標識フェキソフェナジン水溶液の単独経口投与から成り、処置Ｂは、同じ用量の14Ｃ−標識フェキソフェナジン水溶液および１０IU／kgの水溶性ビタミンＥの経口投与から成る。処置は２匹のイヌでクロスオーバーデザインの反対順序で実施し、１週間の洗浄期間を処置の間に入れた。血漿中および尿中の放射能活性を分析し、イヌの体内で未変化のフェキソフェナジンを示すことが判明した。
結果は、水溶性ビタミンＥを14Ｃフェキソフェナジンとともに同時投与したとき、血漿中14ＣＡＵＣの５０％増加が生じることを示した（表II）。
【手続補正４】
【補正対象書類名】明細書
【補正対象項目名】００５０
【補正方法】変更
【補正の内容】
【００５０】
血漿濃度の平均２倍の増加がＰＥＧ１０００をフェキソフェナジンと同時投与したときに生じた（ＡＵＣ（０−２４ｈ）値は表IVに示した濃度から計算した）。最高濃度は平均して３倍増加した。
【手続補正書】
【提出日】平成17年7月12日(2005.7.12)
【手続補正１】
【補正対象書類名】明細書
【補正対象項目名】特許請求の範囲
【補正方法】変更
【補正の内容】
【特許請求の範囲】
【請求項１】  麦芽をサッカロマイセス・セレビジア〔Saccharomyces cerevisiae〕と水性媒体の中で発酵させることにより得られる発酵液に由来する免疫刺激及び転移阻害用の発酵乾燥植物性材料。
【請求項２】  図３に示すＨＰＬＣクロマトグラフィー図に実質的に相当するそれを有する請求項１記載の材料。
【請求項３】  ＨＰＬＣによる決定に従い、２，６−ジメトキシ−ｐ−ベンゾキノン含有量が０．１２〜０．５２mg／ｇ乾燥材料であり、そして２−メトキシ−ｐ−ベンゾキノン含有量が０．０５〜０．２８mg／ｇ乾燥材料である請求項１記載の材料。
【請求項４】  ２，６−ジメトキシ−ｐ−ベンゾキノン含有量が０．４mg／ｇ乾燥材料である、請求項３記載の材料。
【請求項５】  免疫刺激及び転移阻害用の発酵乾燥植物性材料を製造するための方法であって、粉砕麦芽を水性媒体の中でサッカロマイセス・セレビジアの存在下で発酵させ、そしてその発酵液を分離し、厳格に濾過し、エバポレーションし、煮沸し、そしてそのまま又は補助乾燥物質の存在下で乾燥することを特徴とする方法。
【請求項６】  前記発酵を約３０℃の温度で約１８時間、連続的に通気及び撹拌しながら実施する、請求項５記載の方法。
【請求項７】  前記乾燥をマルトデキストリンの存在下で実施する、請求項６記載の方法。
【請求項８】  麦芽の水性媒体の中でのサッカロマイセス・セレビジアの存在下での発酵により得られる発酵液に由来する乾燥材料を活性成分として含む免疫刺激及び転移阻害用医薬製品。
【請求項９】  麦芽の水性媒体の中でのサッカロマイセス・セレビジアの存在下での発酵により得られる発酵液に由来する乾燥材料を含む、哺乳動物用食品サプリメント。
【請求項１０】  ６０重量％の発酵材料及び４０重量％のマルトデキストリンから成る請求項５記載の方法により得られる乾燥材料を含む請求項９記載の食品サプリメント。
【請求項１１】  請求項１〜４のいずれか１項記載の乾燥植物性材料の、免疫刺激及び転移阻害用医薬組成物の製造における使用。
【請求項１２】  請求項１〜４のいずれか１項記載の乾燥植物性材料の哺乳動物用の食品サプリメントの製造における使用。
【手続補正書】
【提出日】平成17年8月4日(2005.8.4)
【手続補正１】
【補正対象書類名】明細書
【補正対象項目名】特許請求の範囲
【補正方法】変更
【補正の内容】
【特許請求の範囲】
【請求項１】  低い経口生体利用性を有する化合物の腸の酵素代謝を阻害するための、該化合物及びベルガモッチンを含有する医薬組成物。
【請求項２】  シトクロムＰ４５０ ３Ａ４腸代謝を阻害する請求項１記載の医薬組成物。
【請求項３】  腸の酵素代謝の阻害が化合物の経口生体利用性を高める請求項１記載の医薬組成物。
【請求項４】  化合物の経口生体利用性が５０％未満である請求項１記載の医薬組成物。
【請求項５】  化合物の経口生体利用性が３０％未満である請求項４記載の医薬組成物。
【請求項６】  化合物はシクロスポリン、タクロリマス（ＦＫ５０６）、シロリマス（ラパマイシン）、インジナビル、リトナビル、サキナビル、フェロジピン、イスラジピン、ニカルジピン、ニソルジピン、ニモジピン、ニトレンジピン、ニフェジピン、ベラパミル、エトポシド、タモキシフェン、ビンブラスチン、ビンリスチン、タキソール、アトルバスタチン、フルバスタチン、ロバスタチン、プラバスタチン、シンバスタチン、テルフェナジン、ロラタジン、アステミゾール、アルフェンタニル、カルバマゼピン、アジスロマイシン、クラリスロマイシン、エリスロマイシン、イトラコナゾール、リファブチン、リドカイン、シスアプリド、セルトラリン、ピモジド、トリアゾラム、ミダゾラム、テストステロン、メドロキシプロゲステロンおよびエルゴタミンからなる群より選択される請求項１記載の医薬組成物。
【請求項７】  ベルガモッチンと組み合わせた低い生体利用性を有する化合物を少なくとも１種の不活性な薬学的に許容しうる賦形剤、希釈剤または担体と混合して含有する医薬組成物。
【手続補正書】
【提出日】平成17年8月8日(2005.8.8)
【手続補正１】
【補正対象書類名】明細書
【補正対象項目名】特許請求の範囲
【補正方法】変更
【補正の内容】
【特許請求の範囲】
【請求項１】  チロシンキナーゼ阻害剤、およびエストロゲン、ＬＨＲＨ作動薬、ＬＨＲＨ拮抗薬および抗アンドロゲンからなる群から選ばれる化学去勢剤を含有する組成物。
【請求項２】  チロシンキナーゼ阻害剤が、ｔｒｋＡ阻害剤、ｔｒｋＢ阻害剤もしくはｔｒｋＣ阻害剤である、請求項１記載の組成物。
【請求項３】  チロシンキナーゼ阻害剤がインドロカルバゾールである、請求項１記載の組成物。
【請求項４】  インドロカルバゾールが、構造が：
【化４】
2001515032.tif 000001
である、インドロカルバゾール；
構造が：
【化５】
2001515032.tif 000002
である、インドロカルバゾール；および
構造が：
【化６】
2001515032.tif 000003
である、インドロカルバゾール；
からなる群から選ばれる、請求項３記載の組成物。
【請求項５】  チロシンキナーゼ阻害剤が縮合ピロロカルバゾールである、請求項１記載の組成物。
【請求項６】  組成物が経口投与のために製剤化される、請求項１記載の組成物。
【請求項７】  組成物が非経口投与のために製剤化される、請求項１の組成物。
【請求項８】  ＬＨＲＨ作動薬が酢酸ロイプロリドである、請求項７の組成物。
【請求項９】  抗アンドロゲンがフルタミドである、請求項７の組成物。
【請求項１０】  化学去勢剤が、ＬＨＲＨ作動薬および抗アンドロゲンの組み合わせ物である、請求項１の組成物。
【請求項１１】  ＬＨＲＨ作動薬が酢酸ロイプロリドであり、そして抗アン
ドロゲンがフルタミドである、請求項２の組成物。
【手続補正書】
【提出日】平成17年8月15日(2005.8.15)
【手続補正１】
【補正対象書類名】明細書
【補正対象項目名】特許請求の範囲
【補正方法】変更
【補正の内容】
【特許請求の範囲】
【請求項１】  ＧＡＢＡ類縁体を含有する胃腸の損傷および疾患を防止または治療するための医薬。
【請求項２】  式Ｉ：
【化１】
2001515033.tif 000001
（式中Ｒ1は水素または低級アルキルであり、ｎは４〜６の整数である）の化合物または製薬上許容しうるその塩を含有する請求項１記載の医薬。
【請求項３】  ガバペンチンを含有する請求項２記載の医薬。
【請求項４】  （１−アミノメチル−３−メチルシクロヘキシル）酢酸、（１−アミノメチル−３−メチルシクロペンチル）酢酸、および（１−アミノメチル−３,４−ジメチルシクロペンチル）酢酸から選択される化合物を含有する請求項１記載の医薬。
【請求項５】  式II：
【化２】
2001515033.tif 000002
（式中Ｒ1は炭素原子１〜６個の直鎖または分枝鎖のアルキル、フェニルまたは炭素原子３〜６個のシクロアルキルであり；Ｒ2は水素またはメチルであり；そしてＲ3は水素、メチルまたはカルボキシルである）の化合物または製薬上許容しうるその塩を含有する請求項１記載の医薬。
【請求項６】  プレガバリンを含有する請求項５記載の医薬。
【請求項７】  Ｒ−（３）−（アミノメチル）−５−メチルヘキサン酸を含有する請
求項５記載の医薬。
【請求項８】  ３−（１−アミノエチル）−５−メチルヘキサン酸を含有する請求項５記載の医薬。
【請求項９】胃腸損傷がＮＳＩＡＤ療法中またはアルコール摂取中またはその予定のある対象におけるものである請求項１記載の医薬。
【請求項１０】  胃腸損傷が炎症性大腸疾患または刺激性大腸症候群を特徴とする請求項１記載の医薬。
【請求項１１】  治療する症状がクローン病、回腸炎、虚血性大腸病、消化不良および潰瘍性大腸炎から選択される請求項１記載の医薬。
【請求項１２】  ＧＡＢＡ類縁体を含有する、哺乳類におけるエタノール禁断症候群を治療するための医薬。
【請求項１３】  式Ｉ：
【化３】
2001515033.tif 000003
（式中Ｒ1は水素または低級アルキルであり、ｎは４〜６の整数である）の化合物または製薬上許容しうるその塩を含有する請求項１２記載の医薬。
【請求項１４】  ガバペンチンを含有する請求項１３記載の医薬。
【請求項１５】  式II：
【化４】
2001515033.tif 000004
（式中Ｒ1は炭素原子１〜６個の直鎖または分枝鎖のアルキル、フェニルまたは炭素原子３〜６個のシクロアルキルであり；Ｒ2は水素またはメチルであり；そしてＲ3は水素、メチルまたはカルボキシルである）の化合物または製薬上許容しうるその塩を含有する請求項１２記載の医薬。
【請求項１６】  プレガバリンを含有する請求項１５記載の医薬。
【請求項１７】  製薬上許容しうる賦形剤、担体または希釈剤とともにＧＡＢＡ類縁体および非ステロイド抗炎症剤を含有する医薬組成物。
【請求項１８】  ＧＡＢＡ類縁体が式Ｉ：
【化５】
2001515033.tif 000005
（式中Ｒ1は水素または低級アルキルであり、ｎは４〜６の整数である）の化合物および製薬上許容しうるその塩である請求項１７記載の組成物。
【請求項１９】  ＧＡＢＡ類縁体がガバペンチンである請求項１８記載の組成物。
【請求項２０】  ＧＡＢＡ類縁体が式IIの化合物である請求項１７記載の組成物。
【請求項２１】  ＧＡＢＡ類縁体がプレガバリンである請求項２０記載の組成物。
【請求項２２】  非ステロイド抗炎症剤がスリンダク、ナプロキセン、インドメタシン、メフェナム酸、ジクロフェナック、フェノプロフェン、ジフルニサル、エトドラック
、イブプロフェン、ピロキシカム、アセチルサリチル酸、オキサプロジンおよびブロムフェナックまたはその製薬上許容しうる塩から選択される請求項１７記載の組成物。
【請求項２３】  非ステロイド抗炎症剤がナプロキセンナトリウム、イブプロフェンまたはインドメタシンから選択される請求項２２記載の組成物。
【請求項２４】  ナプロキセンナトリウムおよびプレガバリンを含む請求項２３記載の組成物。
【請求項２５】  ナプロキセンナトリウムおよびガバペンチンを含む請求項２３記載の組成物。
【請求項２６】  イブプロフェンおよびプレガバリンを含有する請求項２３記載の組成物。
【請求項２７】  イブプロフェンおよびガバペンチンを含有する請求項２３記載の組成物。
【手続補正書】
【提出日】平成17年8月2日(2005.8.2)
【手続補正１】
【補正対象書類名】明細書
【補正対象項目名】特許請求の範囲
【補正方法】変更
【補正の内容】
【特許請求の範囲】
【請求項１】  式：
【化１】
2001515025.tif 000001
（式中、
Ｒ1およびＲ2は、たがいに独立して、水素、分岐鎖状のＣ5〜Ｃ18アルキル、Ｃ2〜Ｃ18アルケニル、式：−ＣＨ2−ＣＨ（−ＯＨ）−ＣＨ2−Ｏ−Ｔ1の基、式：
【化２】
2001515025.tif 000002
の基、または式：
【化３】
2001515025.tif 000003
の基であり；
Ｒ3およびＲ4は、たがいに独立して、水素またはＣ1〜Ｃ5アルキルであり；
Ｒ5は、ヒドロキシ；非置換であるか、１個もしくは数個のＯＨ基によって置換されているＣ1〜Ｃ5アルコキシ；アミノ；モノ−もしくはジ−Ｃ1〜Ｃ5アルキルアミノ；Ｍ；または式：
【化４】
2001515025.tif 000004
の基であり；
Ｒ6は、直接結合、直鎖状または分岐鎖状のＣ1〜Ｃ4アルキレン基、または式：
【化５】
2001515025.tif 000005
の基であり；
Ｒ7、Ｒ8およびＲ9は、たがいに独立して、Ｃ1〜Ｃ18アルキル、Ｃ1〜Ｃ18アルコキシ、または式：
【化６】
2001515025.tif 000006
の基であり；
Ｒ10、Ｒ11およびＲ12は、たがいに独立して、非置換であるか、１個または数個のＯＨ基によって置換されているＣ1〜Ｃ14アルキルであり；そして
Ｒ13は、水素、Ｍ、Ｃ1〜Ｃ5アルキル、または式：
【化７】
2001515025.tif 000007
の基であり；
Ｒ14は、Ｃ1〜Ｃ5アルキルであり；
Ｍは、金属カチオンであり；
Ｔ1は、水素またはＣ1〜Ｃ8アルキルであり；
ｍ1は、１〜３であり；
ｍ2は、２〜１４であり；そして
ｐ1は、０または１〜５の数である）
のＵＶ吸収剤を含む、人間ならびに動物の皮膚および毛髪を、ＵＶ線の損傷の影響から保護するための化粧品組成物。